(57)【要約】【課題】紙幣取扱装置において、装置の大型化を抑制しつつ、紙幣の損耗状態を考慮した入出金を可能とする。【解決手段】紙幣取扱装置は、収納庫への紙幣の収納に先立ち、紙幣の損耗状態を、「新札」、「比較的きれい」、「シワあり」の３段階に鑑別し、各紙幣の損耗状態を紙幣ごとに紙幣データ記憶部に記憶しておく。紙幣取扱装置の収納庫には、新札と新札以外の紙幣とを混在させて収納する。出金取引時には、紙幣データ記憶部を参照して、利用者から要求された損耗状態の紙幣を出金する。【選択図】  図４
2005018709.tif 000002
【特許請求の範囲】
【請求項１】
紙幣取扱装置であって、
紙幣を搬送する搬送機構と、
該搬送された紙幣を収納する収納部と、
該収納された紙幣の損耗状態を該紙幣ごとに記憶する記憶部と、
を備える紙幣取扱装置。
【請求項２】
請求項１記載の紙幣取扱装置であって、さらに、
前記収納に先立ち、前記損耗状態を鑑別する鑑別部を備える、
紙幣取扱装置。
【請求項３】
請求項２記載の紙幣取扱装置であって、
前記鑑別部は、前記損耗状態を、３段階以上に鑑別可能である、
紙幣取扱装置。
【請求項４】
請求項１記載の紙幣取扱装置であって、さらに、
出金時に、利用者からの前記損耗状態に関する要求を入力する要求入力部と、
紙幣を出金するための出金口と、
前記要求に基づいて、前記記憶部を参照し、前記収納部に収納された紙幣の中から、前記入力された損耗状態の紙幣を、前記出金口に搬出する出金制御部と、
を備える紙幣取扱装置。
【請求項５】
請求項４記記載の紙幣取扱装置であって、
前記収納部は、前記紙幣の金種ごとに備えられており、
前記要求入力部は、前記金種ごとに前記要求を入力する、
紙幣取扱装置。
【請求項６】
請求項４記載の紙幣取扱装置であって、
前記要求は、前記損耗状態と、該損耗状態の紙幣の枚数とを含む、
紙幣取扱装置。
【請求項７】
請求項４記載の紙幣取扱装置であって、
前記出金制御部は、前記収納部に前記入力された損耗状態の紙幣が不足しているときに、該不足する枚数分、前記入力された損耗状態とは異なる状態の紙幣を搬出する、
紙幣取扱装置。
【請求項８】
請求項４記載の紙幣取扱装置であって、さらに、
前記記憶部を参照して、前記入力された損耗状態の紙幣が不足しているときに、該不足していることを表示する表示部を備える、
紙幣取扱装置。
【請求項９】
請求項１記載の紙幣取扱装置であって、さらに、
前記記憶部を参照し、前記収納部に所定の損耗状態の紙幣が収納されているときに、該損耗状態の紙幣が収納されていることを表示する表示部を備える、
紙幣取扱装置。
【請求項１０】
紙幣取扱装置であって、
紙幣を収納する収納部と、
前記紙幣を搬送する搬送機構と、
前記紙幣の損耗状態を鑑別する鑑別部と、
出金時に、利用者からの前記損耗状態に関する要求を入力する要求入力部と、
紙幣を出金するための出金口と、
前記要求に応じて、前記収納部と、前記搬送機構と、前記鑑別部とを制御し、前記収納部に収納された紙幣の中から、前記入力された損耗状態の紙幣を、前記出金口に搬出する出金制御部と、
を備える紙幣取扱装置。
【請求項１１】
請求項４または１０記載の紙幣取扱装置であって、さらに、
前記紙幣を一時的に保管するための一時保管庫を備え、
前記出金制御部は、前記入力された損耗状態とは異なる状態の紙幣を、前記一時保管庫に保管し、前記入力された損耗状態の紙幣を、前記出金口に搬出する、
紙幣取扱装置。
【発明の詳細な説明】
【０００１】
【発明の属する技術分野】
本発明は、現金自動取引装置に装備される紙幣取扱装置に関する。
【０００２】
【従来の技術】
従来、金融機関等で利用者に対する入出金に現金自動取引装置（以下、ＡＴＭと呼ぶ）が使用されている。このＡＴＭは、紙幣を取り扱うための紙幣取扱装置を備えている。近年では、ＡＴＭは、コンビニエンスストアなどにも設置され、利便性の向上が図られている。
【０００３】
ところで、冠婚葬祭のときなどに、折り目や、しわや、汚れのない、いわゆる新札が必要となる場合がある。しかし、従来のＡＴＭは、新札を他の紙幣と区別して取り扱う機能を有していない。このため、利用者は、新札が必要な場合には、近所にＡＴＭが設置されているにも関わらず、新札を求めて金融機関に行かなければならず、ＡＴＭに対して更なる利便性の向上が求められていた。
【０００４】
近年では、新札を他の紙幣と区別して取り扱い可能な紙幣入出金装置が提案されている（特許文献１参照）。この紙幣入出金装置では、通常の紙幣を収納するための収納部とは別に、新札を収納するためのオプションの収納部を備えることにより、新札の取り扱いを可能としている。
【０００５】
【特許文献１】
特開２００１−３３１８４３号公報
【０００６】
【発明が解決しようとする課題】
しかし、特許文献１に記載された紙幣入出金装置は、オプションの収納部を備えるため、装置の大型化を招くという課題があった。
【０００７】
本発明は、上述の課題を解決するためになされたものであり、紙幣取扱装置において、装置の大型化を抑制しつつ、紙幣の損耗状態を考慮した入出金を可能とすることを目的とする。
【０００８】
【課題を解決するための手段】
上述の課題の少なくとも一部を解決するため、本発明では、以下の構成を採用した。すなわち、本発明の第１の紙幣取扱装置は、紙幣を搬送する搬送機構と、該搬送された紙幣を収納する収納部と、該収納された紙幣の損耗状態を該紙幣ごとに記憶する記憶部とを備えることを要旨とする。
【０００９】
こうすることによって、１つの収納部に、種々の損耗状態の紙幣、例えば、新札と新札以外の紙幣とを混在させて収納しても、記憶部を参照することによって、収納部のどこにどのような損耗状態の紙幣が収納されているのかを判断することができる。したがって、所望の損耗状態の紙幣を容易に抽出することができる。つまり、紙幣取扱装置は、紙幣の損耗状態に応じた個別の収納部を備える必要がない。この結果、紙幣取扱装置の大型化を抑制しつつ、紙幣の損耗状態を考慮した入出金を可能とすることができる。
【００１０】
上記紙幣取扱装置において、さらに、前記収納に先立ち、前記損耗状態を鑑別する鑑別部を備えるようにすることができる。
【００１１】
こうすることによって、記憶部は、紙幣の装填や入金取引など、収納部への紙幣の収納時に、鑑別部での鑑別結果に基づいて、紙幣の損耗状態を紙幣ごとに記憶することができる。
【００１２】
上記紙幣取扱装置において、前記鑑別部は、前記損耗状態を、例えば、新札と新札以外の紙幣との２種類に鑑別するようにしてもよいが、「新札」、「比較的きれい」、「シワあり」、「損耗が激しい」など、３段階以上に鑑別可能であるようにすることが好ましい。
【００１３】
こうすることによって、利用者の多様なニーズに柔軟に対応することができる。
【００１４】
本発明の第１の紙幣取扱装置において、さらに、出金時に、利用者からの前記損耗状態に関する要求を入力する要求入力部と、紙幣を出金するための出金口と、前記要求に基づいて、前記記憶部を参照し、前記収納部に収納された紙幣の中から、前記入力された損耗状態の紙幣を、前記出金口に搬出する出金制御部とを備えるようにすることができる。
【００１５】
こうすることによって、利用者から要求された損耗状態の紙幣、例えば、新札を出金することができる。
【００１６】
上記紙幣取扱装置において、前記収納部は、前記紙幣の金種ごとに備えられており、前記要求入力部は、前記金種ごとに前記要求を入力するようにすることが好ましい。
【００１７】
こうすることによって、利用者は、万円札や千円札など、金種ごとに紙幣の損耗状態を指定することができる。
【００１８】
また、前記要求は、前記損耗状態と、該損耗状態の紙幣の枚数とを含むようにすることが好ましい。
【００１９】
こうすることによって、利用者は、一度の出金取引で複数の損耗状態の紙幣を要求することができる。例えば、利用者は、一度に１０万円出金するときに、新札を６枚、新札以外の紙幣を４枚など、複数の損耗状態の紙幣について、それぞれ枚数を指定することができる。
【００２０】
また、前記出金制御部は、前記収納部に前記入力された損耗状態の紙幣が不足しているときに、出金取引を中止するようにしてもよいが、該不足する枚数分、前記入力された損耗状態とは異なる状態の紙幣を搬出するようにしてもよい。
【００２１】
こうすることによって、利用者の要求に完全に応じることはできないまでも、出金取引を継続することができる。
【００２２】
また、さらに、前記記憶部を参照して、前記入力された損耗状態の紙幣が不足しているときに、該不足していることを表示する表示部を備えるようにしてもよい。
【００２３】
こうすることによって、利用者の要求に応じられないときに、その旨を速やかに利用者に報知することができる。表示部には、さらに、利用者の要求する損耗状態の紙幣の出金可能な枚数や不足する枚数を表示するようにしてもよい。
【００２４】
本発明の第１の紙幣取扱装置において、さらに、前記記憶部を参照し、前記収納部に所定の損耗状態の紙幣が収納されているときに、該損耗状態の紙幣が収納されていることを表示する表示部を備えるようにすることができる。
【００２５】
「所定の損耗状態の紙幣」としては、例えば、新札が挙げられる。こうすることによって、利用者は、表示部を見て、当該紙幣取扱装置を利用するか否かを判断することができる。
【００２６】
本発明は、以下のように構成することもできる。すなわち、本発明の第２の紙幣取扱装置は、紙幣を収納する収納部と、前記紙幣を搬送する搬送機構と、前記紙幣の損耗状態を鑑別する鑑別部と、出金時に、利用者からの前記損耗状態に関する要求を入力する要求入力部と、紙幣を出金するための出金口と、前記要求に応じて、前記収納部と、前記搬送機構と、前記鑑別部とを制御し、前記収納部に収納された紙幣の中から、前記入力された損耗状態の紙幣を、前記出金口に搬出する出金制御部とを備えることを要旨とする。
【００２７】
こうすることによっても、出金時に、収納部に収納された紙幣の損耗状態を鑑別することができるので、紙幣の損耗状態に応じた個別の収納部を備える必要はない。したがって、紙幣取扱装置の大型化を抑制しつつ、紙幣の損耗状態を考慮した入出金を可能とすることができる。
【００２８】
なお、本発明の第２の紙幣取扱装置においても、先に説明した本発明の第１の紙幣取扱装置と同様に、種々の付加的要素を適用することができる。
【００２９】
上述した出金制御部を備える紙幣取扱装置において、さらに、前記紙幣を一時的に保管するための一時保管庫を備え、前記出金制御部は、前記入力された損耗状態とは異なる状態の紙幣を、前記一時保管庫に保管し、前記入力された損耗状態の紙幣を、前記出金口に搬出するようにすることができる。
【００３０】
こうすることによって、収納部に収納された紙幣を一時保管庫と出金口とに振り分けながら、利用者が要求する損耗状態の紙幣を、収納部から出金口へ、スムーズに搬出することができる。
【００３１】
本発明は、上述の紙幣取扱装置としての構成の他、この紙幣取扱装置を備える現金自動取引装置、紙幣取扱装置または現金自動取引装置の制御方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００３２】
本発明をコンピュータプログラムまたはそのプログラムを記録した記録媒体等として構成する場合には、紙幣取扱装置、現金自動取引装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【００３３】
【発明の実施の形態】
以下、本発明の実施の形態について、実施例に基づき以下の順序で説明する。
Ａ．現金自動取引装置：
Ｂ．紙幣取扱装置：
Ｃ．機能ブロック：
Ｄ．紙幣装填処理：
Ｅ．入金制御処理：
Ｆ．出金制御処理：
Ｇ．変形例：
【００３４】
Ａ．現金自動取引装置：
図１は、本発明の一実施例としての紙幣取扱装置を装備した現金自動取引装置２００の外観を示す説明図である。この現金自動取引装置（以下、ＡＴＭと呼ぶ）２００は、銀行やコンビニエンスストアなどに設置され、利用者の操作に応じて入出金処理を行うための装置である。ＡＴＭ２００は、図示するように、操作部２０３や、通帳取扱機構２０４や、カード取扱機構２０５や、明細票発行機構２０６や、紙幣取扱装置１００などを備えている。紙幣取扱装置１００は、紙幣入出金口２０７を備えている。
【００３５】
操作部２０３は、入出金取引のための情報表示および入出金のための操作入力を行うための利用者とのインタフェースである。本実施例では、タッチパネルを用いるものとしたが、ディスプレイと押しボタンスイッチなどの組み合わせで構成してもよい。
【００３６】
通帳取扱機構２０４は、通帳を取り扱い、取引に応じて、通帳に記されたマークなどの読み取りや、印字処理などを行う。
【００３７】
カード取扱機構２０５は、いわゆるキャッシュカードなど磁気ストライプカードに記録された情報を読み取る。カードに記録された情報には、例えば、金融機関番号、科目、利用者の口座番号などが含まれる。
【００３８】
利用者との紙幣の授受は、紙幣入出金口２０７を通じて行われる。入金時には、利用者が紙幣入出金口２０７に入れた紙幣は、ＡＴＭ２００に備えられた紙幣取扱装置１００によって、鑑別され、金種ごとに分類されて保管される。出金時には、紙幣取扱装置１００は、利用者の指示した金額分の紙幣を繰り出し、紙幣入出金口２０７から利用者に受け渡す。
【００３９】
明細票発行機構２０６は、取引に応じて、その内容を記録した明細票を発行する。
【００４０】
本実施例のＡＴＭ２００は、折り目や、しわや、汚れのない紙幣（以下、新札と呼ぶ）を、他の紙幣と区別して取り扱い可能である。表示パネル２１０は、ＡＴＭ２００が新札を出金可能なときに、その旨を表示する。こうすることによって、利用者は、表示パネル２１０を見て、当該ＡＴＭを利用するか否かを判断することができる。
【００４１】
ＡＴＭ２００の各ユニットの動作は、制御ユニット２０２によって制御される。制御ユニット２０２は、内部にＣＰＵ、メモリを備えたマイクロコンピュータとして構成されている。制御ユニット２０２は、図中に矢印で示す通り、各ユニットと情報の授受を行い、ＡＴＭ２００全体の動作を制御する。制御ユニット２０２は、ホストコンピュータ３００と通信回線で接続されている。制御ユニット２０２が、取引に関する情報をホストコンピュータ３００に送信することにより、利用者の口座への入出金などの処理がホストコンピュータ３００側で行われる。
【００４２】
Ｂ．紙幣取扱装置：
図２は、紙幣取扱装置１００の概略構成を示す側断面図である。紙幣取扱装置１００は、入金された紙幣を、以後の出金に再利用する型、いわゆる還流型の装置である。紙幣取扱装置１００は、図示するように、上部ユニット１１０と、金庫部１５０とから構成されている。
【００４３】
金庫部１５０は、厚板の金属で覆われ、堅牢に構成されている。金庫部１５０には、出金に使用できる正常な紙幣（以下、真券と呼ぶ）を保管するための収納庫１７０、１７１と、損傷がひどい、偽券である、など取引に不適な紙幣（以下、リジェクト紙幣と呼ぶ）を保管するリジェクト庫１６０が備えられている。
【００４４】
収納庫１７０は、万円札を収納するための万円庫であり、収納庫１７１は、千円札を収納するための千円庫である。収納庫１７０、１７１およびリジェクト庫１６０には、庫内での紙幣の配列順序が混乱しないように、紙幣を整然と保持するための可動式の押板１７０Ａ、１７１Ａ、１６０Ａがそれぞれ設けられている。本実施例では、各収納庫１７０、１７１は、後から搬入された紙幣が先に搬出される構造となっている。各収納庫１７０、１７１は、先に搬入された紙幣が先に搬出される構造としてもよい。また、金庫部１５０に、さらに、五千円札を収納するための五千円庫を備えるようにしてもよい。なお、本実施例では、リジェクト庫１６０は、収納庫１７０、１７１への紙幣の装填時や、収納庫１７０、１７１からの紙幣の回収時にも利用されるので、装填回収庫１６０とも呼ぶ。
【００４５】
上部ユニット１１０の構造は次の通りである。入出金部１１１は、利用者との紙幣の授受を行うための空隙である。入出金部１１１の入り口には、シャッタ１１６が設けられている。このシャッタ１１６は、先に説明したＡＴＭ２００の紙幣入出金口２０７と連動して自動的に開閉する。また、入出金部１１１には、紙幣の有無を検出するためのセンサが備えられている。
【００４６】
鑑別部１２６は各紙幣について、金種、真偽を鑑別し、その結果を出力する。鑑別は、紙幣をスキャンして得られる画像データ、磁気特性、紫外線などに対する光学特性など種々の情報を利用して行うことができる。また、本実施例では、鑑別部１２６は、紙幣の損耗状態について、「新札」と、「比較的きれい」と、「シワあり」との３段階に鑑別する。さらに多くの段階に鑑別するようにしてもよい。紙幣の損耗状態を鑑別するためのセンサとしては、接触型センサ、反射型センサ、透過型センサ、カラーセンサ、赤外線センサなど、種々のセンサを用いることができる。複数のセンサを組み合わせて鑑別を行うものとしてもよい。
【００４７】
上部ユニット１１０内には、入出金の過程で紙幣を一時的に保管するための一時保管庫１２２が用意されている。一時保管庫１２２は、搬送された順に紙幣を保管し、その逆の順序で紙幣を繰り出すことができる。本実施例では、回転ドラムの周囲に巻き付けるベルトによって紙幣を保持する機構を利用した。一時保管庫１２２は、２００枚の紙幣を一時保管することができる。
【００４８】
紙幣取扱装置１００内での紙幣の搬送は、搬送部１４０によって行われる。搬送部１４０は、ローラ、ベルトなどの搬送機構を利用して、紙幣を搬送するための機構である。搬送部１４０の経路には、紙幣の搬送先を切り換えるためのゲート１４１、１４２、１４３や、複数の通過センサ１４５が設けられている。ゲート１４１は、一時保管庫１２２と入出金部１１１と間で搬送先の切り換えを行う。ゲート１４２は、搬送先をリジェクト庫１６０に切り換える。ゲート１４３は、搬送先を各収納庫１７０、１７１間で切り換える。
【００４９】
図示を省略したが、紙幣取扱装置１００の内部には制御ユニットが備えられている。制御ユニットは、内部にＣＰＵ、メモリを備えるマイクロコンピュータとして構成されており、予め用意されたプログラムに従って、紙幣取扱装置１００の動作を制御する。
【００５０】
Ｃ．機能ブロック：
図３は、ＡＴＭ２００の機能ブロックを示す説明図である。図中の各機能ブロックは、制御ユニット２０２内に、それぞれソフトウェア的に構築されている。これらの機能ブロックは、ハードウェア的に構成することも可能である。
【００５１】
ＡＴＭ２００の機能ブロックは、主制御部１０１の制御下で、それぞれ次の機能を奏する。通信部１０２は、ホストコンピュータ３００との通信を制御する。鑑別実行部１０３は、鑑別部１２６を用いて、紙幣の鑑別を行う。入出金制御部１０４は、入出金時の紙幣の搬送を制御する。インタフェース制御部１０５は、操作部２０３への画面提示、および、利用者による操作の入力を行う。このインタフェース制御部１０５は、本発明における要求入力部に相当する。カード、通帳取扱制御部１０６は、キャッシュカード、通帳などから、取引対象となる金融機関番号、科目、利用者の口座番号を入力し、通帳への記帳を行う。
【００５２】
紙幣データ記憶部１０７は、鑑別部１２６での鑑別結果に基づいて、各収納庫１７０、１７１に収納されている紙幣について、紙幣の損耗状態を紙幣ごとに記憶する。表示キーデータ記憶部１０８は、操作部２０３に、出金時に利用者が紙幣の損耗状態を選択する画面を表示させるための表示キーデータを記憶する。
【００５３】
図４は、紙幣データ記憶部１０７に記憶されるデータの内容を示す説明図である。紙幣データ記憶部１０７は、収納庫１７０に収納された万円札に関する万円庫紙幣データテーブルと、収納庫１７１に収納された千円札に関する千円庫紙幣データテーブルとを記憶している。図示するように、各データテーブルには、何枚目にどのような損耗状態の紙幣が収納されているのかが記録される。「１枚目」、「２枚目」、・・・とは、各収納庫１７０、１７１に搬入された順番を表している。「損耗状態」の「Ｓ」、「Ａ」、「Ｂ」は、それぞれ鑑別部１２６での鑑別結果であり、その紙幣が「新札」、「比較的きれい」、「シワあり」に相当する紙幣であることを示している。なお、本実施例では、各紙幣の損耗状態をテーブルの形式で記憶するものとしたが、収納庫内のどこにどのような紙幣が収納されているのかが分かれば、他の形式で記憶するものとしても良い。
【００５４】
図５は、表示キーデータ記憶部１０８に記憶される表示キーデータの内容を示す説明図である。このデータは、収納庫１７０、１７１ごとに記憶され、出金取引時に読み出され、後述する出金入力確認画面、および、紙幣状態選択画面の表示処理に利用される（図１１、１２参照）。収納庫に「新札」に相当する紙幣が収納されていれば、「「新札」キー表示」の項目は「あり」である。収納庫に「比較的きれい」に相当する紙幣が収納されていれば、「「比較的きれい」キー表示」の項目は「あり」である。収納庫に「シワあり」に相当する紙幣が収納されていれば、「「指定なし」キー表示」の項目は「あり」である。
【００５５】
「「紙幣状態選択」キー表示」の項目は、出金入力確認画面の表示処理に利用される。「「新札」キー表示」、「「比較的きれい」キー表示」、「「指定なし」キー表示」のうちの２つ以上が「あり」の場合には、利用者は、紙幣の損耗状態の選択が可能であるから、「「紙幣状態選択」キー表示」は「あり」とする。「「新札」キー表示」、「「比較的きれい」キー表示」、「「指定なし」キー表示」のうちのいずれか１つにしか「あり」がない場合には、利用者が紙幣の損耗状態を選択する余地がないので、「「紙幣状態選択」キー表示」は「なし」とする。
【００５６】
Ｄ．紙幣装填処理：
図６は、紙幣装填処理の流れを示すフローチャートである。ＡＴＭ２００の係員が装填回収庫１６０に装填すべき紙幣を収納し、紙幣装填処理を開始するための所定の操作を行ったときに、制御ユニット２０２が実行する処理である。この処理の少なくとも一部を、紙幣取扱装置１００の制御ユニットが実行するものとしてもよい。
【００５７】
制御ユニット２０２は、まず、装填回収庫１６０から一時保管庫１２２に紙幣を１枚ずつ繰り出す（ステップＳ１００）。そして、装填回収庫１６０が空になったか否か、一時保管庫１２２が一杯になったか否かを判断する（ステップＳ１１０）。装填回収庫１６０に紙幣が残存しており、かつ、一時保管庫１２２が一杯でなければ、装填回収庫１６０からの紙幣の繰り出しを継続する。
【００５８】
ステップＳ１１０において、装填回収庫１６０が空になったか、あるいは、一時保管庫１２２が一杯になったら、一時保管庫１２２から鑑別部１２６へ紙幣を１枚繰り出し（ステップＳ１２０）、鑑別処理を行う（ステップＳ１３０）。先に説明したように、鑑別処理では、金種や、真偽の鑑別とともに、紙幣の損耗状態の鑑別を行う。
【００５９】
そして、鑑別結果に基づいて、紙幣の損耗状態を、紙幣データ記憶部１０７の金種に対応する各紙幣データテーブルに記憶し（ステップＳ１４０）、鑑別済みの紙幣を、金種に対応する各収納庫に収納する（ステップＳ１５０）。つまり、各収納庫１７０、１７１には、様々な損耗状態の紙幣が収納される。
【００６０】
次に、一時保管庫１２２が空になったか否かを判断する（ステップＳ１６０）。一時保管庫１２２に紙幣が残存していれば、ステップＳ１２０〜Ｓ１６０の処理を繰り返す。一時保管庫１２２が空になった場合には、装填回収庫１６０が空になったか否かを判断する（ステップＳ１７０）。装填回収庫１６０に紙幣が残存していれば、ステップＳ１００〜Ｓ１７０の処理を繰り返す。装填回収庫１６０が空になった場合には、表示キーデータ記憶部１０８の内容を更新し（ステップＳ１８０）、紙幣装填処理を終了する。
【００６１】
以上説明した紙幣装填処理によって、紙幣データ記憶部１０７に各収納庫１７０、１７１のどこにどのような損耗状態の紙幣が収納されているのかを記憶することができる。したがって、後述する出金制御処理時に紙幣データ記憶部１０７を参照することによって、利用者から要求された損耗状態の紙幣を速やかに出金することができる。また、本実施例では、紙幣の損耗状態を３段階に鑑別しているので、利用者の多様なニーズに柔軟に対応することができる。
【００６２】
なお、本実施例では、上述した紙幣装填処理において、装填回収庫１６０から繰り出した全紙幣について、鑑別処理を行うものとしたが、例えば、装填する紙幣がすべて新札であることが予め分かっている場合などには、鑑別処理を省略することも可能である。この場合、例えば、装填する紙幣が新札であることを、ＡＴＭ２００の係員が入力するようにすればよい。
【００６３】
Ｅ．入金制御処理：
図７は、入金制御処理の流れを示すフローチャートである。利用者が「預け入れ」、「現金での振り込み」など、入金を伴う取引を選択した時に、制御ユニット２０２が実行する処理である。この処理の少なくとも一部を、紙幣取扱装置１００の制御ユニットが実行するものとしてもよい。
【００６４】
制御ユニット２０２は、利用者によって入出金部１１１に紙幣が投入され、入金取引が開始されると（ステップＳ２００）、入出金部１１１から紙幣を順次繰り出し（ステップＳ２１０）、鑑別部１２６で紙幣の金種や、真偽の鑑別を行うとともに、入金額の計数処理を行う（ステップＳ２２０）。このとき、真券は、一時保管庫１２２に搬送される。また、偽券は、リジェクト庫１６０に搬送され、後から入出金部１１１に返却される。そして、入出金部１１１の紙幣が空になったら（ステップＳ２２５）、操作部２０３に計数結果を表示し、利用者からの入金指示を入力する（ステップＳ２３０）。
【００６５】
次に、図６のステップＳ１２０〜Ｓ１６０と同様の処理を行い（ステップＳ２４０〜Ｓ２７５）、表示キーデータ記憶部１０８の内容を更新する（ステップＳ２８０）。そして、入金制御処理を終了する。
【００６６】
以上説明した入金制御処理によって、入金取引時に、先に説明した紙幣装填処理と同様に、各収納庫１７０、１７１のどこにどのような損耗状態の紙幣が収納されているのかを、紙幣データ記憶部１０７に記憶することができる。
【００６７】
Ｆ．出金制御処理：
図８は、出金制御処理の流れを示すフローチャートである。利用者が「引き出し」など、出金を伴う取引を選択した時に、制御ユニット２０２が実行する処理である。この処理の少なくとも一部を、紙幣取扱装置１００の制御ユニットが実行するものとしてもよい。
【００６８】
制御ユニット２０２は、操作部２０３に出金金額が入力されると（ステップＳ３００）、表示キーデータ記憶部１０８から表示キーデータを取得する（ステップＳ３１０）。そして、「「紙幣状態選択」キー表示」が「あり」であるか否かを判断する（ステップＳ３２０）。そして、この判断に基づいて、図１１に示したように、出金入力確認画面を操作部２０３に表示する。ここでは、出金金額として、「２３，０００円」が入力された場合について示した。表示キーデータの「「紙幣状態選択」キー表示」が「あり」であれば、「確認」キーＢ１とともに「紙幣状態選択」キーＢ２を表示する（ステップＳ３２２）。「「紙幣状態選択」キー表示」が「あり」でなければ、「紙幣状態選択」キーＢ２は表示せずに、「確認」キーＢ１だけを表示する（ステップＳ３２４）（図示省略）。
【００６９】
出金入力確認画面で、利用者によって「紙幣状態選択」キーＢ２が押下された場合には（ステップＳ３２６）、図１２に示したように、選択可能なキーを含む紙幣状態選択画面を操作部２０３に表示する（ステップＳ３２８）。図１２では、表示キーデータの「「新札」キー表示」、「「比較的きれい」キー表示」、「「指定なし」キー表示」のいずれもが「あり」であり、利用者が「新札」キーＢ３、「比較的きれい」キーＢ４、「指定なし」キーＢ５のいずれの選択も可能な場合について示した。出金入力確認画面に、各損耗状態の出金可能な紙幣の枚数を表示するようにしてもよい。
【００７０】
そして、利用者によっていずれかのキーが押下されると（ステップＳ３３０）、後述する紙幣の繰り出し処理を実行する（ステップＳ３４０）。各収納庫１７０、１７１から入出金部１１１へ指定された金額分の紙幣を繰り出す処理である。なお、「紙幣状態選択」キーＢ２を表示した出金入力確認画面で、利用者によって「確認」キーＢ１が押下された場合には、紙幣状態選択画面で、「指定なし」キーＢ５が押下されたときと同じ処理を行う。また、「紙幣状態選択」キーＢ２が表示されない出金入力確認画面で、利用者によって「確認」キーＢ１が押下されたときには、表示キーデータにおいて、「あり」と記憶されている項目に対応するキーが押下されたときと同じ処理を行う。
【００７１】
ステップＳ３４０の紙幣の繰り出し処理が終了すると、図１３に示すように、出金可能紙幣表示画面を操作部２０３に表示する（ステップＳ３５０）。図１３では、利用者が図１２に示した紙幣状態選択画面で新札を選択し、万円札については、「新札」の出金が可能であり、千円札については、「新札」の出金が不可能で、「比較的きれい」な紙幣の出金が可能である場合について例示した。この出金可能紙幣表示画面には、表示内容を利用者が承認するか否かを入力するための「はい」キーＢ６と、「いいえ」キーＢ７も表示される。
【００７２】
出金可能紙幣表示画面で、利用者によって「はい」キーＢ６が押下されると、すなわち、表示内容が承認されると、後述する出金処理を行う（ステップＳ３７０）。また、利用者によって「いいえ」キーＢ７が押下されると、キャンセル処理を行う（ステップＳ３８０）。そして、出金制御処理を終了する。出金処理およびキャンセル処理については、後述する。以上の処理によって、利用者から要求された損耗状態の紙幣を出金することができる。
【００７３】
図９は、図８のステップＳ３４０における紙幣の繰り出し処理の流れを示すフローチャートである。ここでは、万円札と千円札とを区別せずに説明する。まず、収納庫から紙幣を１枚繰り出す（ステップＳ３４１）。そして、紙幣データ記憶部１０７を参照して、繰り出された紙幣が利用者によって選択された損耗状態の紙幣であるか否かを判断する（ステップＳ３４２）。選択された損耗状態の紙幣であれば、その紙幣を入出金部１１１に搬送する（ステップＳ３４３）。繰り出された紙幣が利用者によって選択された損耗状態の紙幣でなければ、その紙幣を一時保管庫１２２に搬送する（ステップＳ３４４）。
【００７４】
次に、一時保管庫１２２の紙幣が一杯になったか否かを判断する（ステップＳ３４５）。一時保管庫１２２の紙幣が一杯になっていなければ、ステップＳ３４１に戻る。一時保管庫１２２の紙幣が一杯になった場合には、利用者によって選択された損耗状態の紙幣を繰り出すことができないので、一時保管庫１２２に保管されている、利用者によって選択された損耗状態とは異なる状態の紙幣を入出金部１１１に搬送する（ステップＳ３４６）。
【００７５】
次に、入出金部１１１の紙幣が図８のステップＳ３００で入力された出金金額になったか否かを判断する（ステップＳ３４７）。入出金部１１１の紙幣が入力された金額になっていなければ、ステップＳ３４１に戻る。入出金部１１１の紙幣が入力された金額になれば、繰り出し処理を終了する。
【００７６】
図１０は、図８のステップＳ３７０における出金処理の流れを示すフローチャートである。まず、シャッタ１１６を開ける（ステップＳ３７１）。そして、入出金部１１１に繰り出された紙幣が利用者によって取り出されたか否かを判断する（ステップＳ）。この判断は、入出金部１１１に備えられたセンサの出力に基づいて行われる。入出金部１１１から紙幣が取り出されると、シャッタ１１６を閉じる（ステップＳ３７３）。そして、一時保管庫１２２に保管された紙幣を収納庫に戻し（ステップＳ３７７）、紙幣データ記憶部１０７の紙幣データテーブルを更新し（ステップＳ３７８）、表示キーデータ記憶部１０８の表示キーデータを更新して（ステップＳ３７９）、出金処理を終了する。
【００７７】
ステップＳ３７２において、入出金部１１１から紙幣が取り出されずにタイムアウトになった場合には（ステップＳ３７４）、シャッタ１１６を閉じ（ステップＳ３７５）、入出金部１１１に繰り出された紙幣を収納庫に戻して（ステップＳ３７６）、ステップＳ３７７に進む。
【００７８】
図８のステップ３８０におけるキャンセル処理は、図１０におけるステップ３７６〜Ｓ３７９と同じ処理である。
【００７９】
Ｇ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００８０】
Ｇ１．変形例１：
上記実施例では、出金制御処理時に、利用者が出金する紙幣すべてについて、同じ損耗状態の紙幣を指定するようにしたが、これに限られない。金種ごとに、紙幣の損耗状態を指定可能としてもよい。また、同一の金種の紙幣を複数枚出金する場合に、損耗状態と枚数とを指定可能としてもよい。こうすることによって、さらに利便性を向上させることができる。
【００８１】
Ｇ２．変形例２：
上記実施例では、収納庫は、後から搬入された紙幣が先に搬出される構造であるから、収納庫の紙幣の搬出入口付近に新札がない場合には、収納庫に新札が収納されていても、新札を出金できない場合があり得る。したがって、取引を行っていないときに、紙幣の順番を入れ換える処理を行うようにしてもよい。例えば、上記実施例では、一時保管庫１２２に保管可能な紙幣の枚数は２００枚であるから、収納庫の搬出入口から２００枚目までに新札が存在するか否かを判断し、存在しない場合に、この処理を行う。この場合、まず、収納庫から一時保管庫１２２に２００枚の紙幣を搬送し、リジェクト庫１６０に移送する。そして、再度収納庫の搬出入口から２００枚目までに新札が存在するか否かを判断する。新札が存在しない場合には、再度、収納庫内の紙幣をリジェクト庫１６０に移送する。新札が存在する場合には、入出金部１１１に搬送する。そして、リジェクト庫１６０に移送された紙幣を収納庫に戻し、その後、入出金部１１１の紙幣を収納庫に戻す。そして、紙幣データ記憶部１０７の内容を更新する。こうすることによって、収納庫に新札が存在するにも関わらず出金できなくなるという不具合を回避することができる。
【００８２】
Ｇ３．変形例３：
上記実施例では、ＡＴＭ２００は、紙幣データ記憶部１０７を備えており、紙幣装填処理時や、入金制御処理時に、紙幣の損耗状態を鑑別して、記憶するものとしたが、これに限られない。出金制御処理時に、利用者から要求された損耗状態の紙幣を鑑別して出金するようにしてもよい。例えば、図９に示した紙幣の繰り出し処理のステップＳ３４２で鑑別処理を行うようにしてもよい。こうすることによっても、紙幣取扱装置の大型化を抑制しつつ、新札を他の紙幣と区別して取り扱い可能とすることができる。
【００８３】
また、上記実施例のＡＴＭ２００において、本変形例の処理が可能となるようにしてもよい。こうすることによって、紙幣データ記憶部１０７のデータが事故などによって消去された場合にも取引を行うことができる。
【００８４】
【発明の効果】
本発明によれば、記憶部は、収納部に収納された紙幣の損耗状態を紙幣ごとに記憶しているので、１つの収納部に、種々の損耗状態の紙幣、例えば、新札と新札以外の紙幣とを混在させて収納しても、記憶部を参照することによって、収納部のどこにどのような損耗状態の紙幣が収納されているのかを判断することができる。したがって、所望の損耗状態の紙幣を容易に抽出することができる。つまり、紙幣取扱装置は、紙幣の損耗状態に応じた個別の収納部を備える必要がない。この結果、紙幣取扱装置の大型化を抑制しつつ、紙幣の損耗状態を考慮した入出金を可能とすることができる。
【図面の簡単な説明】
【図１】本発明の一実施例としての紙幣取扱装置を装備した現金自動取引装置２００の外観を示す説明図である。
【図２】紙幣取扱装置１００の概略構成を示す側断面図である。
【図３】ＡＴＭ２００の機能ブロックを示す説明図である。
【図４】紙幣データ記憶部１０７に記憶されるデータの内容を示す説明図である。
【図５】表示キーデータ記憶部１０８に記憶される表示キーデータの内容を示す説明図である。
【図６】紙幣装填処理の流れを示すフローチャートである。
【図７】入金制御処理の流れを示すフローチャートである。
【図８】出金制御処理の流れを示すフローチャートである。
【図９】紙幣の繰り出し処理の流れを示すフローチャートである。
【図１０】出金処理の流れを示すフローチャートである。
【図１１】出金入力確認画面の一例を示す説明図である。
【図１２】紙幣状態選択画面の一例を示す説明図である。
【図１３】出金可能紙幣表示画面の一例を示す説明図である。
【符号の説明】
１００…紙幣取扱装置
１０１…主制御部
１０２…通信部
１０３…鑑別実行部
１０４…入出金制御部
１０５…インタフェース制御部
１０６…通帳取扱制御部
１０７…紙幣データ記憶部
１０８…表示キーデータ記憶部
１１０…上部ユニット
１１１…入出金部
１１６…シャッタ
１２２…一時保管庫
１２６…鑑別部
１４０…搬送部
１４１〜１４３…ゲート
１４５…通過センサ
１５０…金庫部
１６０…装填回収庫（リジェクト庫）
１７０…収納庫（万円庫）
１７１…収納庫（千円庫）
１６０Ａ、１７０Ａ、１７１Ａ…押板
２００…現金自動取引装置
２０２…制御ユニット
２０３…操作部
２０４…通帳取扱機構
２０５…カード取扱機構
２０６…明細票発行機構
２０７…紙幣入出金口
２１０…表示パネル
３００…ホストコンピュータ
Ｂ１…「確認」キー
Ｂ２…「紙幣状態選択」キー
Ｂ３…「新札」キー
Ｂ４…「比較的きれい」キー
Ｂ５…「指定なし」キー
Ｂ６…「はい」キー
Ｂ７…「いいえ」キー
【図１】
2005018709.tif 000003
【図２】
2005018709.tif 000004
【図３】
2005018709.tif 000005
【図４】
2005018709.tif 000006
【図５】
2005018709.tif 000007
【図６】
2005018709.tif 000008
【図７】
2005018709.tif 000009
【図８】
2005018709.tif 000010
【図９】
2005018709.tif 000011
【図１０】
2005018709.tif 000012
【図１１】
2005018709.tif 000013
【図１２】
2005018709.tif 000014
【図１３】
2005018709.tif 000015